(57)【要約】      （修正有）【課題】ケーブルピット内に配線ラックを容易、かつ、適正に設置可能なケーブルピット用配線ラック構造を提供する。【解決手段】配線ラック２は、上下方向に延びて上端部に挿通孔２０ａとナット１４が設けられた支柱２０と、支柱２０に配設されケーブルを載置する配線棚３０と、を備える。ケーブルピット１０の開口縁１０ａに設けられた縁金具１２に、予めボルト１３が設けられ、ケーブルピット１０の側壁１０ｂに沿って上下方向に延びるように支柱２０が配置され、ボルト１３とナット１４が締結されて、配線棚３０がケーブルピット１０の側壁１０ｂ側から略水平に延びる。【選択図】図１
2018088785.tif 000002
【特許請求の範囲】
【請求項１】
ケーブルを載置するための配線ラックをケーブルピット内に設置するためのケーブルピット用配線ラック構造であって、
前記配線ラックは、上下方向に延びて上端部に第１の締結部が設けられた支柱と、前記支柱に配設され前記ケーブルを載置する配線棚と、を備え、
前記ケーブルピットの開口縁に設けられた縁金具に、予め第２の締結部が設けられ、
前記ケーブルピットの側壁に沿って上下方向に延びるように前記支柱が配置され、前記第１の締結部と前記第２の締結部とが締結されて、前記配線棚が前記ケーブルピットの側壁側から略水平に延びている、
ことを特徴とするケーブルピット用配線ラック構造。
【請求項２】
前記第１の締結部は、前記支柱の上端部に形成された挿通孔とナットから構成され、前記第２の締結部は、前記縁金具に取り付けられたボルトで構成され、
前記ボルトを前記挿通孔に挿入して前記ナットを螺合することで、前記第１の締結部と前記第２の締結部とが締結されている、
ことを特徴とする請求項１に記載のケーブルピット用配線ラック構造。
【請求項３】
前記支柱の下端側には、前記支柱の軸線に対して外側に広がり前記ケーブルピットの底面に接触する支柱補強部が設けられている、
ことを特徴とする請求項１または２のいずれか１項に記載のケーブルピット用配線ラック構造。
【請求項４】
前記ケーブルピットの底面の直上に位置する前記配線棚の自由端部に、前記ケーブルピットの底面に接触する固定部材が設けられている、
ことを特徴とする請求項１から３のいずれか１項に記載のケーブルピット用配線ラック構造。
【請求項５】
前記固定部材は、伸縮自在で、かつ、前記配線棚に対して上下に回動自在に配設され、
前記固定部材を下方に付勢する付勢手段が設けられている、
ことを特徴とする請求項４に記載のケーブルピット用配線ラック構造。
【請求項６】
前記配線棚が前記支柱の上下方向に複数配設され、前記各配線棚の自由端部を連結し、前記ケーブルピットの底面に接触する補助支柱が設けられている、
ことを特徴とする請求項１から３のいずれか１項に記載のケーブルピット用配線ラック構造。
【発明の詳細な説明】
【技術分野】
【０００１】
この発明は、ケーブルを載置するための配線ラックをケーブルピット（電線共同溝などとも言う）内に設置するためのケーブルピット用配線ラック構造に関し、特に、ケーブルピット内に配線ラックを容易かつ適正に設置可能なケーブルピット用配線ラック構造に関する。
【背景技術】
【０００２】
従来の一般的なケーブルピット１００を図１０〜図１２に示す。図１０と図１１は、ケーブルピット１００の横断面図と平面図、図１２は、ケーブルピット１００の縦断面図で配線棚１２０の先端側から側壁側を見た図である。
【０００３】
ケーブルピット１００は、上方が開口した断面が凹状で、いわゆる側溝とほぼ同様な形状を呈したコンクリート製で、その上方開口が複数の蓋１０１によって覆われる。ケーブルピット１００内には、その一方の側壁に取り付けられた支柱１１０と、この支柱１１０の上下方向における所定位置からケーブルピット１００の中央側に延びる複数の配線棚１２０、から構成される配線ラック１１２が配設されている。
【０００４】
配線棚１２０は、予め支柱１１０の所定の位置に溶接などにより固設されている。また、支柱１１０は、その上部と下部とがそれぞれアンカーボルト（ホールインアンカー）１１１によってケーブルピット１００の側壁に取着される。
【０００５】
具体的には、図示省略するが、ケーブルピット１００の一方の側壁の上部と下部とにそれぞれドリルで下穴を形成し、この下穴にアンカーを埋め込む。次に、このアンカーにアンカーボルト１１１を螺合する際に、支柱１１０を挟持してケーブルピット１００の側壁に支柱１１０を取り付ける。
【０００６】
このようにして、ケーブルピット１００の側壁に支柱１１０が取り付けられると、ケーブルピット１００の側壁側から中央側に水平に延びるように複数の配線棚１２０が、上下方向に所定の間隔で配置されることになる。ここで、ケーブルピット１００の大きさは、例えば、幅寸法および深さ寸法がともに３０ｃｍ〜１．５ｍ程度が一般的で、配線ラック１１２の取り付けやケーブル１３０の配設などの作業は、大きなものにあっては作業員が構内（ケーブルピット１００内）に入って行い、小さいものにあっては上側から覗き込むようにして行う。
【０００７】
一方、ケーブルピットの側壁に形成した長穴にアダプタを差し込み、このアダプタにラックを着脱自在にすることで、ラックのみを容易に交換できるようにした脱着式ケーブル用ラックが知られている（例えば、特許文献１参照。）。
【先行技術文献】
【特許文献】
【０００８】
【特許文献１】特開２０１０−１６６７２６号公報
【発明の概要】
【発明が解決しようとする課題】
【０００９】
ところで、上記の従来のケーブルピット用配線ラック構造では、コンクリート製のケーブルピット１００の側壁に、アンカーを埋め込むための下穴をドリルで複数形成しなければならず、多大な労力と時間を要する。特に、ケーブルピット１００の底側の下穴を形成する場合、溝内に入って行うか上から覗き込むようにして行う必要がある。しかしながら、上から覗き込むようにして行うと作業がし難く、溝内に入って行う場合でも、狭隘なスペースのため作業性が悪く怪我をしてしまうおそれもある。
【００１０】
しかも、作業性が悪い結果、ケーブルピット１００の側壁に対して下穴を適正に（所定の位置に垂直に）形成できないおそれがあり、その場合、配線ラック１１２を適正・良好に設置できない場合が生じ得る。
【００１１】
同様に、上記特許文献１のような脱着式ケーブル用ラックの場合も、ケーブルピットの側壁に長穴を形成する必要があり、多大な労力と時間を要するばかりでなく、作業性が悪く怪我をしてしまったり、ラックを適正に設置できなかったりするおそれがある。
【００１２】
そこで本発明は、ケーブルピット内に配線ラックを容易かつ適正に設置可能なケーブルピット用配線ラック構造を提供することを目的とする。
【課題を解決するための手段】
【００１３】
上記課題を解決するために、請求項１の発明は、ケーブルを載置するための配線ラックをケーブルピット内に設置するためのケーブルピット用配線ラック構造であって、前記配線ラックは、上下方向に延びて上端部に第１の締結部が設けられた支柱と、前記支柱に配設され前記ケーブルを載置する配線棚と、を備え、前記ケーブルピットの開口縁に設けられた縁金具に、予め第２の締結部が設けられ、前記ケーブルピットの側壁に沿って上下方向に延びるように前記支柱が配置され、前記第１の締結部と前記第２の締結部とが締結されて、前記配線棚が前記ケーブルピットの側壁側から略水平に延びている、ことを特徴とする。
【００１４】
この発明によれば、支柱の第１の締結部と縁金具の第２の締結部とを締結することで、
配線棚が略水平に延びた状態で配線ラックがケーブルピット内に設置される。
【００１５】
請求項２の発明は、請求項１に記載のケーブルピット用配線ラック構造において、前記第１の締結部は、前記支柱の上端部に形成された挿通孔とナットから構成され、前記第２の締結部は、前記縁金具に取り付けられたボルトで構成され、前記ボルトを前記挿通孔に挿入して前記ナットを螺合することで、前記第１の締結部と前記第２の締結部とが締結されている、ことを特徴とする。
【００１６】
請求項３の発明は、請求項１または２に記載のケーブルピット用配線ラック構造において、前記支柱の下端側には、前記支柱の軸線に対して外側に広がり前記ケーブルピットの底面に接触する支柱補強部が設けられている、ことを特徴とする。
【００１７】
請求項４の発明は、請求項１から３に記載のケーブルピット用配線ラック構造において、前記ケーブルピットの底面の直上に位置する前記配線棚の自由端部に、前記ケーブルピットの底面に接触する固定部材が設けられている、ことを特徴とする。
【００１８】
請求項５の発明は、請求項４に記載のケーブルピット用配線ラック構造において、前記固定部材は、伸縮自在で、かつ、前記配線棚に対して上下に回動自在に配設され、前記固定部材を下方に付勢する付勢手段が設けられている、ことを特徴とする。
【００１９】
請求項６の発明は、請求項１から３に記載のケーブルピット用配線ラック構造において、前記配線棚が前記支柱の上下方向に複数配設され、前記各配線棚の自由端部を連結し、前記ケーブルピットの底面に接触する補助支柱が設けられている、ことを特徴とする。
【発明の効果】
【００２０】
請求項１の発明によれば、支柱の第１の締結部と縁金具の第２の締結部とを締結するだけで、配線棚を有する配線ラックがケーブルピット内に設置され、ケーブルピットの側壁に下穴などを形成する必要がない。このため、溝内に入ったり上から覗き込んだりして作業する必要がなく、ケーブルピット内に配線ラックを容易、安全かつ適正に設置することが可能となる。しかも、ケーブルピットの開口縁側つまり地上近くで第１の締結部と第２の締結部を締結すればよいため、より容易かつ安全に作業することが可能となる。
【００２１】
請求項２の発明によれば、縁金具のボルトを支柱の挿通孔に挿入してナットを螺合するだけで、配線ラックがケーブルピット内に設置されるため、設置作業をより容易かつ安全に行うことが可能となる。
【００２２】
請求項３の発明によれば、支柱の軸線に対して外側に広がる支柱補強部が支柱の下端側に設けられているため、支柱とケーブルピットの底面との接触が安定化し、ケーブルピット内に配線ラックを安定して設置することが可能となる。
【００２３】
請求項４の発明によれば、ケーブルピットの底面の直上に位置する配線棚の自由端部に、ケーブルピットの底面に接触する固定部材が設けられているため、この配線棚が両端支持されて安定化し、ケーブルピット内に配線ラックを安定して設置することが可能となる。
【００２４】
請求項５の発明によれば、固定部材が伸縮自在で、かつ、配線棚に対して上下に回動自在に配設され、固定部材を下方に付勢する付勢手段が設けられている。このため例えば、固定部材を上方に回転させた状態で支柱をケーブルピットの側壁に配置し、その後、固定部材を下方に回転させることで、固定部材が下方に付勢されてケーブルピットの底面に接触する。このように、固定部材を容易かつ適正、強固にケーブルピットの底面に接触させることができる。
【００２５】
請求項６の発明によれば、各配線棚の自由端部を連結してケーブルピットの底面に接触する補助支柱が設けられているため、すべての配線棚が両端支持されて安定化し、ケーブルピット内に配線ラックを安定して設置することが可能となる。
【図面の簡単な説明】
【００２６】
【図１】この発明の実施の形態１に係るケーブルピット用配線ラック構造を示す斜視図である。
【図２】図１のケーブルピット用配線ラック構造の横断面図である。
【図３】図１のケーブルピット用配線ラック構造の平面図である。
【図４】図１のケーブルピット用配線ラック構造の縦断面図で、配線棚の先端側から内側壁側を見た図である。
【図５】図１のケーブルピット用配線ラック構造のケーブルピットの開口縁周辺の拡大断面図である。
【図６】図１のケーブルピット用配線ラック構造の固定部材周辺の拡大正面図である。
【図７】図６の固定部材の拡大側面図である。
【図８】この発明の実施の形態２に係るケーブルピット用配線ラック構造における、固定部材を取り付ける前の状態を示す分解斜視図である。
【図９】この発明の実施の形態３に係るケーブルピット用配線ラック構造における、各配線棚と補助支柱を示す正面図である。
【図１０】従来のケーブルピット用配線ラック構造を示す横断面図である。
【図１１】図１０のケーブルピット用配線ラック構造の平面図である。
【図１２】図１０のケーブルピット用配線ラック構造の縦断面図で、配線棚の先端側から内側壁側を見た図である。
【発明を実施するための形態】
【００２７】
以下、この発明を図示の実施の形態に基づいて説明する。
【００２８】
（実施の形態１）
図１〜図７は、この実施の形態を示し、図１は、この実施の形態に係るケーブルピット用配線ラック構造１を示す斜視図である。このケーブルピット用配線ラック構造１は、ケーブル５０を載置するための配線ラック２をケーブルピット１０内に設置するための構造であり、各配線ラック２は、主として、支柱２０と配線棚３０と固定部材４０とを備える。
【００２９】
まず、ケーブルピット１０の製作手順および構造について説明する。第１に、ケーブルピット１０のルートを掘削し、コンパネにより型枠作りを行う。次に、図２に示すように、コンパネによる型枠内の所定の位置に鉄筋１１を配設し、縁金物１２を所定の鉄筋１１の上部に溶接する。この縁金物１２は、図１に示すように、断面がＬ字状のアングル材（山形鋼）と、このアングルの下端縁に溶接された平形鋼とからなり、横断面形状がクランク状を呈し、上方から順に第１の垂直面部１２ａ、水平面部１２ｂ、第２の垂直面部１２ｃを有する。
【００３０】
この縁金物１２の第２の垂直面部１２ｃには、予めボルト（第２の締結部）１３が所定の間隔で複数溶接されている。そして、型枠内に生コンクリートを打設し、コンクリートが固まったら型枠を取り外す。これにより、上方が開口した断面が凹状で、いわゆる側溝とほぼ同様な形状を呈したコンクリート製のケーブルピット１０が完成する。この際、縁金物１２がケーブルピット１０の開口縁１０ａに位置し（設けられ）、第１の垂直面部１２ａと水平面部１２ｂによって開口縁１０ａにほぼ直角の段差部が形成され、第２の垂直面部１２ｃがケーブルピット１０の側壁１０ｂに沿って（面一に）配置される。また、複数のボルト１３が側壁１０ｂから略水平に延びて配置される。
【００３１】
このようにして形成されたケーブルピット１０に配線ラック２が、ケーブルピット１０内の長手方向に所定の間隔（例えば、１ｍ間隔）で複数設置される。
【００３２】
配線ラック２の支柱２０は、上下方向に延び上端部に挿通孔（第１の締結部）２０ａが設けられた棒状体であり、配線棚３０は、支柱２０に配設されケーブル５０を載置する棚材である。具体的には、支柱２０は、ケーブルピット１０の深さよりやや短い長さを有した厚鋼板で構成され、配線棚３０は、アングル材（山形鋼）で構成され、支柱２０の上下方向の所定の位置に配線棚３０の一端部が溶接等されて片持ち支持されている。また、支柱２０の挿通孔２０ａは、上下方向に長い長孔に形成されている。
【００３３】
そして、ケーブルピット１０の側壁１０ｂに沿って上下方向に延びるように支柱２０が配置され、ボルト１３が挿通孔２０ａに挿入されてナット（第１の締結部）１４がボルト１３に螺合されて（第１の締結部と第２の締結部とが締結されて）、配線ラック２が設置されている。これにより、各配線棚３０がケーブルピット１０の側壁１０ｂ側から略水平に延びて配置される。このように、挿通孔２０ａとナット１４で第１の締結部が構成されている。
【００３４】
また、支柱２０の下端側には、支柱２０の軸線（上下に延びる外輪郭）に対して外側に広がりケーブルピット１０の底面１０ｃに接触する支柱補強材（支柱補強部）２１が設けられている。すなわち、図１に示すように、側方から見て末広がりの台形状をした支柱補強材２１が、支柱２０の下側に一体的に形成されており、これにより、支柱２０の下端がケーブルピット１０の底面１０ｃに接触したときに安定させることができる。なお、支柱補強材２１の材質を合成樹脂など腐食しにくいものにすることで、ケーブルピット１０内の高湿度の環境においても腐食を防止することができ、長寿命化を期待することができる。
【００３５】
一方、上記のように、ボルト１３が挿通する挿通孔２０ａが長孔状に形成されているため、縁金物１２に対する支柱２０の上下方向の位置を調整することができ、支柱２０の下端・支柱補強材２１をケーブルピット１０の底面１０ｃに確実に接触させることができる。なお、挿通孔２０ａは上下方向の位置調整を可能にするために設けたものであり、長孔に限らず縦長な楕円形にしてもよい。
【００３６】
ここで、上記のように、第１の締結部をナット１４で構成し第２の締結部をボルト１３で構成しているが、その他の締結材で構成してもよい。例えば、第１の締結部をボルトで構成し、このボルトを螺合可能な螺孔で第２の締結部を構成してもよい。
【００３７】
配線棚３０は、アングル材の一方の面である水平片３０ｈが水平で、他方の面である垂直片３０ｖが垂直になる向きで、溶接等により支柱２０に取り付けられている。そして、水平片３０ｈは、ケーブル５０を載置する面として機能し、垂直片３０ｖは、配線棚３０・水平片３０ｈを補強するためのリブとして機能する。このような配線棚３０が支柱２０の上下方向に複数（図示では３段）配設されている。
【００３８】
固定部材４０は、最下段の（ケーブルピット１０の底面１０ｃの直上に位置する）配線棚３０の自由端部・他端部に設けられ、ケーブルピット１０の底面１０ｃに接触してこの配線棚３０を支持する部材である。具体的には、最下段の配線棚３０の自由端部に、垂直片３０ｖに対向するように対向片３１が配設され、水平片３０ｈ、垂直片３０ｖおよび対向片３１のそれぞれの先端縁を覆うように端片３２が配設されている。さらに、垂直片３０ｖと対向片３１とに支持ピン３３が貫通され、この支持ピン３３に固定部材４０が回動自在に支持されている。
【００３９】
また、固定部材４０が支持された部位の上方の水平片３０ｈには、矩形孔３４が形成され、固定部材４０の上端部がこの矩形孔３４からやや突出している。これにより、固定部材４０は、配線棚２０に対して上下に（水平軸である支持ピン３３を中心に）回動自在となっている。
【００４０】
この固定部材４０は、図６、図７に示すように、四角柱状の固定柱４１と、この固定柱４１より一回り大きな有底な四角筒状の足部４２とからなり、足部４２が固定柱４１の下方から外嵌され、これにより、固定部材４０全体が伸縮自在となっている。また、外嵌された固定柱４１と足部４２との間にはコイルばね（付勢手段）４３が内蔵され、固定柱４１に対して足部４２が伸びる方向（固定部材４０が上下に延びた状態で下方）に付勢されている。
【００４１】
このようにして、固定部材４０の固定柱４１が配線棚３０に回動自在に支持され、固定柱４１に対して足部４２が伸縮自在にかつ伸びる方向に付勢されている。このため、支柱２０をケーブルピット１０の側壁１０ｂに取り付けた際に、固定部材４０を所定位置に設置することを容易にし、さらに安定した配線棚３０を提供することができる。
【００４２】
次に、このような構成のケーブルピット用配線ラック構造１において、配線ラック２をケーブルピット１０内に設置する手順について説明する。
【００４３】
まず、図１に示すように、複数の配線棚３０が取り付けられた支柱２０をケーブルピット１０内に入れて、ボルト１３を挿通孔２０ａに挿通させ、支柱２０をケーブルピット１０の側壁１０ｂに沿って上下方向に延びるように配置する。次に、例えば、固定部材４０を上方に回転させた状態で、支柱２０を下方に押圧して支柱補強材２１をケーブルピット１０の底面１０ｃに強く接触させる。
【００４４】
続いて、ナット１４をボルト１３に螺合して締め付け、その後、足部４２を縮めながら固定部材４０を下方に回転させると、足部４２が下方に付勢されてケーブルピット１０の底面１０ｃに強く接触する。このような取付作業をすべての配線ラック２に対して行うものである。
【００４５】
以上のように、このケーブルピット用配線ラック構造１によれば、支柱２０のナット１４と縁金具１２のボルト１３とを締結するだけで、配線棚３０を有する配線ラック２がケーブルピット１０内に設置され、ケーブルピット１０の側壁１０ｂに下穴などを形成する必要がない。このため、溝内に入ったり上から覗き込んだりして作業する必要がなく、ケーブルピット１０内に配線ラック２を容易、安全かつ適正に設置することが可能となる。
【００４６】
しかも、縁金具１２のボルト１３を支柱２０の挿通孔２０ａに挿入してナット１４を螺合するだけで、配線ラック２がケーブルピット１０内に設置されるため、設置作業をより容易かつ安全に行うことが可能となる。さらに、ケーブルピット１０の開口縁１０ａ側つまり地上近くでボルト１３とナット１４を締結すればよいため、より容易かつ安全に作業することが可能となる。
【００４７】
また、末広がりの支柱補強材２１が支柱２０の下端側に設けられているため、支柱２０とケーブルピット２の底面１０ｃとの接触が安定化し、ケーブルピット１０内に配線ラック２を安定して設置することが可能となる。
【００４８】
さらに、最下段の配線棚３０の自由端部に、ケーブルピット１０の底面１０ｃに接触する固定部材４０が設けられているため、この配線棚３０が両端支持されて安定化し、ケーブルピット１０内に配線ラック２を安定して設置することが可能となる。
【００４９】
しかも、固定部材４０が伸縮自在で、かつ、配線棚３０に対して上下に回動自在に配設され、固定部材４０を下方に付勢するコイルばね４３が設けられている。このため、例えば上記のように、固定部材４０を上方に回転させた状態で支柱２０をケーブルピット１０の側壁１０ｂに配置し、その後、固定部材４０を下方に回転させることで、固定部材４０（足部４２）が下方に付勢されてケーブルピット１０の底面１０ｃに接触する。このように、固定部材４０を容易かつ適正、強固にケーブルピット１０の底面１０ｃに接触させることができる。
【００５０】
（実施の形態２）
図８は、この実施の形態に係るケーブルピット用配線ラック構造における、固定部材６０を取り付ける前の状態を示す分解斜視図である。この実施の形態では、固定部材６０が実施の形態１の固定部材４０と構成が異なり、実施の形態１と同等の構成については、同一符号を付することでその説明を省略する。
【００５１】
この実施の形態では、長板状の固定部材６０が配線棚３０の自由端部にボルト６１で取り付けられている。すなわち、配線棚３０の先端に設けられた端片３２に螺孔３２ａが形成され、固定部材６０には長手方向に延びる長孔６０ａが形成されている。そして、ボルト６１を長孔６０ａに挿通して螺孔３２ａに螺合することで、固定部材６０が取り付けられている。この際、長孔６０ａを介して固定部材６０を上下方向に位置調整することで、固定部材６０の下端がケーブルピット１０底面１０ｃに接触される。
【００５２】
このような実施の形態によれば、簡易な構成で最下段の配線棚３０を安定化させることができ、また、構成が簡易なため、保守などに要する労力、時間を軽減することが可能となる。
【００５３】
（実施の形態３）
図９は、この実施の形態に係るケーブルピット用配線ラック構造における、各配線棚３０と補助支柱７０を示す正面図である。この実施の形態では、支柱２０の上下方向に複数配設された配線棚３０の自由端部を連結し、ケーブルピット１０の底面１０ｃに接触して各配線棚３０を支持する補助支柱７０が設けられている点で、実施の形態１と構成が異なり、実施の形態１と同等の構成については、同一符号を付することでその説明を省略する。
【００５４】
補助支柱７０は、長板材で構成され、板面が各配線棚３０に対向するように上下方向に延びて配置され、その高さは、ケーブルピット１０の底面１０ｃから最上段の配線棚３０までの高さよりもやや長く設定されている。また、各配線棚３０の水平片３０ｈと対向する位置に、引掛具７０ａが設けられている。
【００５５】
具体的には、補助支柱７０の所定位置に、上方に開口するコ字状の切り込み７０ｂを打ち抜き、打ち抜いて形成された略長方形状の舌片をほぼ直角に（水平に延びるように）折り曲げることにより、引掛具７０ａが形成されている。さらに、引掛具７０ａの先端部が、直角に上方に折り曲げられてフック部７０ｃが形成されている。一方、各配線棚３０の水平片３０ｈの先端部には、係止孔３０ａが形成されている。
【００５６】
そして、補助支柱７０は、上記のようにして支柱２０および配線棚３０を設置した後、取り付けられる。すなわち、各配線棚３０の係止孔３０ａに各引掛具７０ａのフック部７０ｃをその下方から係止させ、補助支柱７０を上下方向に延びるように配置して、補助支柱７０の下端をケーブルピット１０の底面１０ｃに接触させる。これにより、各段の配線棚３０の自由端部が補助支柱７０で連結され、補助支柱７０の下端がケーブルピット１０の底面１０ｃに接触する。このように、最下段の配線棚３０を含むすべての配線棚３０が補助支柱７０で連結、支持され、この実施の形態では、補助支柱７０が固定部材を兼ねている。
【００５７】
このような実施の形態によれば、各配線棚３０の自由端部を連結してケーブルピット１０の底面１０ｃに接触する補助支柱７０が設けられているため、すべての配線棚３０が両端支持されて安定化し、ケーブルピット１０内に配線ラック２を安定して設置することが可能となる。つまり、ケーブル５０をより安定して載置することが可能となる。ここで、補助支柱７０は、各引掛具７０ａにおいて配線棚３０から加重を受け、ケーブルピット１０の底面１０ｃを押圧することになり、これにより、その自立状態が安定化する。
【００５８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、支柱補強材２１が支柱２０の下側に一体的に形成されているが、別体である支柱補強材２１を支柱２０の下側に着脱自在に取り付けるようにしてもよい。また、１つの支柱２０に複数の配線棚３０を上下に配設しているが、１つの支柱２０に１つの配線棚３０を配設してもよく、この場合、この配線棚３０が、ケーブルピット１０の底面１０ｃの直上に位置する配線棚３０、つまり、最下段の配線棚３０となる。さらに、実施の形態３において、フック部７０ｃの係止によって各配線棚３０と補助支柱７０を連結しているが、ボルトなどによって連結してもよい。
【符号の説明】
【００５９】
１      ケーブルピット用配線ラック構造
２      配線ラック
１０    ケーブルピット
１０ａ  開口縁
１０ｂ  側壁
１０ｃ  底面
１２    縁金物
１３    ボルト（第２の締結部）
１４    ナット（第１の締結部）
２０    支柱
２０ａ  挿通孔（第１の締結部）
２１    支柱補強材（支柱補強部）
３０    配線棚
４０    固定部材
４１    固定柱
４２    足部
４３    コイルばね（付勢手段）
５０    ケーブル
６０    固定部材
７０    補助支柱
【図１】
2018088785.tif 000003
【図２】
2018088785.tif 000004
【図３】
2018088785.tif 000005
【図４】
2018088785.tif 000006
【図５】
2018088785.tif 000007
【図６】
2018088785.tif 000008
【図７】
2018088785.tif 000009
【図８】
2018088785.tif 000010
【図９】
2018088785.tif 000011
【図１０】
2018088785.tif 000012
【図１１】
2018088785.tif 000013
【図１２】
2018088785.tif 000014